【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
計数機によって所定の情報が関連付けられた景品交換用記録媒体を用いて遊技媒体から所望の景品への交換を行う景品管理装置であって、
前記景品交換用記録媒体から取得した前記遊技媒体の貸出レートに関するレート関連情報に基づいて当該景品交換用記録媒体に対応する前記貸出レートを特定する貸出レート特定手段と、
１つの交換取引に属する最初の前記景品交換用記録媒体について前記貸出レート特定手段が特定した前記貸出レートを、当該交換取引における交換貸出レートとして決定する交換貸出レート決定手段と、
前記交換取引に属する前記景品交換用記録媒体のうち、前記貸出レート特定手段によって特定された前記貸出レートが前記交換貸出レートと一致する前記景品交換用記録媒体に関連付けられた遊技媒体数を累積加算する累積加算手段と
を備えたことを特徴とする景品管理装置。
【請求項２】
前記景品交換用記録媒体は、
前記計数機によって計数された遊技媒体の貸出レートが記録されたものであって、
前記貸出レート特定手段は、
前記景品交換用記録媒体に記録された前記貸出レートを前記レート関連情報として用いたうえで当該レート関連情報を当該景品交換用記録媒体に対応する前記貸出レートとして特定することを特徴とする請求項１に記載の景品管理装置。
【請求項３】
前記景品交換用記録媒体は、
前記計数機を一意に識別する計数機識別情報が記録されたものであって、
前記景品管理装置は、
前記計数機識別情報と当該計数機に割り当てられた前記貸出レートとが対応付けられた貸出レート割当情報を記憶する記憶手段
をさらに備え、
前記貸出レート特定手段は、
前記景品交換用記録媒体に記録された前記計数機識別情報で前記貸出レート割当情報を検索することによって当該交換用記録媒体に対応する前記貸出レートを特定することを特徴とする請求項１に記載の景品管理装置。
【請求項４】
前記交換貸出レート決定手段によって決定された前記交換貸出レートを所定の表示部に対して表示させるように制御する表示制御手段
をさらに備えたことを特徴とする請求項１、２または３に記載の景品管理装置。
【請求項５】
前記表示制御手段は、
前記交換取引に属する前記景品交換用記録媒体のうち、前記貸出レート特定手段によって特定された前記貸出レートが前記交換貸出レートと一致しない前記景品交換用記録媒体を当該交換取引から除外する旨および当該景品交換用記録媒体の前記貸出レートを、前記所定の表示部に対してさらに表示させるように制御することを特徴とする請求項４に記載の景品管理装置。
【請求項６】
計数機によって所定の情報が関連付けられた景品交換用記録媒体を用いて遊技媒体から所望の景品への交換を行う景品管理方法であって、
前記景品交換用記録媒体から取得した前記遊技媒体の貸出レートに関するレート関連情報に基づいて当該景品交換用記録媒体に対応する前記貸出レートを特定する貸出レート特定工程と、
１つの交換取引に属する最初の前記景品交換用記録媒体について前記貸出レート特定工程が特定した前記貸出レートを、当該交換取引における交換貸出レートとして決定する交換貸出レート決定工程と、
前記交換取引に属する前記景品交換用記録媒体のうち、前記貸出レート特定工程によって特定された前記貸出レートが前記交換貸出レートと一致する前記景品交換用記録媒体に関連付けられた遊技媒体数を累積加算する累積加算工程と
を備えたことを特徴とする景品管理方法。
【請求項７】
計数機によって所定の情報が関連付けられた景品交換用記録媒体を用いて遊技媒体から所望の景品への交換を行う景品管理装置を有する景品管理システムであって、
前記景品交換用記録媒体から取得した前記遊技媒体の貸出レートに関するレート関連情報に基づいて当該景品交換用記録媒体に対応する前記貸出レートを特定する貸出レート特定手段と、
１つの交換取引に属する最初の前記景品交換用記録媒体について前記貸出レート特定手段が特定した前記貸出レートを、当該交換取引における交換貸出レートとして決定する交換貸出レート決定手段と、
前記交換取引に属する前記景品交換用記録媒体のうち、前記貸出レート特定手段によって特定された前記貸出レートが前記交換貸出レートと一致する前記景品交換用記録媒体に関連付けられた遊技媒体数を累積加算する累積加算手段と
を備えたことを特徴とする景品管理システム。
【手続補正２】
【補正対象書類名】明細書
【補正対象項目名】発明の名称
【補正方法】変更
【補正の内容】
【発明の名称】景品管理装置、景品管理方法および景品管理システム
【手続補正３】
【補正対象書類名】明細書
【補正対象項目名】０００８
【補正方法】変更
【補正の内容】
【０００８】
上述した課題を解決し、目的を達成するために、本発明は、計数機によって所定の情報が関連付けられた景品交換用記録媒体を用いて遊技媒体から所望の景品への交換を行う景品管理装置であって、前記景品交換用記録媒体から取得した前記遊技媒体の貸出レートに関するレート関連情報に基づいて当該景品交換用記録媒体に対応する前記貸出レートを特定する貸出レート特定手段と、１つの交換取引に属する最初の前記景品交換用記録媒体について前記貸出レート特定手段が特定した前記貸出レートを、当該交換取引における交換貸出レートとして決定する交換貸出レート決定手段と、前記交換取引に属する前記景品交換用記録媒体のうち、前記貸出レート特定手段によって特定された前記貸出レートが前記交換貸出レートと一致する前記景品交換用記録媒体に関連付けられた遊技媒体数を累積加算する累積加算手段とを備えたことを特徴とする。
【手続補正４】
【補正対象書類名】明細書
【補正対象項目名】０００９
【補正方法】変更
【補正の内容】
【０００９】
また、本発明は、前記景品交換用記録媒体は、前記計数機によって計数された遊技媒体の貸出レートが記録されたものであって、前記貸出レート特定手段は、前記景品交換用記録媒体に記録された前記貸出レートを前記レート関連情報として用いたうえで当該レート関連情報を当該景品交換用記録媒体に対応する前記貸出レートとして特定することを特徴とする。
【手続補正５】
【補正対象書類名】明細書
【補正対象項目名】００１０
【補正方法】変更
【補正の内容】
【００１０】
また、本発明は、前記景品交換用記録媒体は、前記計数機を一意に識別する計数機識別情報が記録されたものであって、前記景品管理装置は、前記計数機識別情報と当該計数機に割り当てられた前記貸出レートとが対応付けられた貸出レート割当情報を記憶する記憶手段をさらに備え、前記貸出レート特定手段は、前記景品交換用記録媒体に記録された前記計数機識別情報で前記貸出レート割当情報を検索することによって当該交換用記録媒体に対応する前記貸出レートを特定することを特徴とする。
【手続補正６】
【補正対象書類名】明細書
【補正対象項目名】００１１
【補正方法】変更
【補正の内容】
【００１１】
また、本発明は、前記交換貸出レート決定手段によって決定された前記交換貸出レートを所定の表示部に対して表示させるように制御する表示制御手段をさらに備えたことを特徴とする。
【手続補正７】
【補正対象書類名】明細書
【補正対象項目名】００１２
【補正方法】変更
【補正の内容】
【００１２】
また、本発明は、前記表示制御手段は、前記交換取引に属する前記景品交換用記録媒体のうち、前記貸出レート特定手段によって特定された前記貸出レートが前記交換貸出レートと一致しない前記景品交換用記録媒体を当該交換取引から除外する旨および当該景品交換用記録媒体の前記貸出レートを、前記所定の表示部に対してさらに表示させるように制御することを特徴とする。
【手続補正８】
【補正対象書類名】明細書
【補正対象項目名】００１３
【補正方法】変更
【補正の内容】
【００１３】
また、本発明は、計数機によって所定の情報が関連付けられた景品交換用記録媒体を用いて遊技媒体から所望の景品への交換を行う景品管理方法であって、前記景品交換用記録媒体から取得した前記遊技媒体の貸出レートに関するレート関連情報に基づいて当該景品交換用記録媒体に対応する前記貸出レートを特定する貸出レート特定工程と、１つの交換取引に属する最初の前記景品交換用記録媒体について前記貸出レート特定工程が特定した前記貸出レートを、当該交換取引における交換貸出レートとして決定する交換貸出レート決定工程と、前記交換取引に属する前記景品交換用記録媒体のうち、前記貸出レート特定工程によって特定された前記貸出レートが前記交換貸出レートと一致する前記景品交換用記録媒体に関連付けられた遊技媒体数を累積加算する累積加算工程とを備えたことを特徴とする。また、本発明は、計数機によって所定の情報が関連付けられた景品交換用記録媒体を用いて遊技媒体から所望の景品への交換を行う景品管理装置を有する景品管理システムであって、前記景品交換用記録媒体から取得した前記遊技媒体の貸出レートに関するレート関連情報に基づいて当該景品交換用記録媒体に対応する前記貸出レートを特定する貸出レート特定手段と、１つの交換取引に属する最初の前記景品交換用記録媒体について前記貸出レート特定手段が特定した前記貸出レートを、当該交換取引における交換貸出レートとして決定する交換貸出レート決定手段と、前記交換取引に属する前記景品交換用記録媒体のうち、前記貸出レート特定手段によって特定された前記貸出レートが前記交換貸出レートと一致する前記景品交換用記録媒体に関連付けられた遊技媒体数を累積加算する累積加算手段とを備えたことを特徴とする。
【手続補正９】
【補正対象書類名】明細書
【補正対象項目名】００１４
【補正方法】変更
【補正の内容】
【００１４】
本発明によれば、景品交換用記録媒体から取得した遊技媒体の貸出レートに関するレート関連情報に基づいてこの景品交換用記録媒体に対応する貸出レートを特定し、１つの交換取引に属する最初の景品交換用記録媒体について特定した貸出レートを、この交換取引における交換貸出レートとして決定し、この交換取引に属する景品交換用記録媒体のうち、特定された貸出レートが交換貸出レートと一致する景品交換用記録媒体に関連付けられた遊技媒体数を累積加算することとしたので、景品交換業務を遅延並びに停滞させることなく、異なる複数の貸出レートの景品交換用記録媒体を１台の景品管理装置で景品交換させることができる結果、遊技店の設備投資費用を低減させることが可能になるという効果が得られる。
【手続補正１０】
【補正対象書類名】明細書
【補正対象項目名】００１５
【補正方法】変更
【補正の内容】
【００１５】
また、本発明によれば、景品交換用記録媒体は、計数機によって計数された遊技媒体の貸出レートが記録されたものであって、景品交換用記録媒体に記録された貸出レートをレート関連情報として用いたうえでこのレート関連情報を景品交換用記録媒体に対応する貸出レートとして特定することとしたので、景品交換用記録媒体に記録されている貸出レートを景品交換用記録媒体の貸出レートとして特定することができるという効果が得られる。
【手続補正１１】
【補正対象書類名】明細書
【補正対象項目名】００１６
【補正方法】変更
【補正の内容】
【００１６】
また、本発明によれば、景品交換用記録媒体は、計数機を一意に識別する計数機識別情報が記録されたものであって、景品管理装置は、計数機識別情報と計数機に割り当てられた貸出レートとが対応付けられた貸出レート割当情報を記憶し、景品交換用記録媒体に記録された計数機識別情報で貸出レート割当情報を検索することによって交換用記録媒体に対応する貸出レートを特定することとしたので、景品交換用記録媒体に関連付けられている計数機識別情報を用いて景品交換用記録媒体の貸出レートを特定することができ、計数時における貸出レートの指定操作を省略させるとともに、計数機のソフトウェア構成（例えば、計数レシートへの貸出レート情報の埋め込み処理）及びハードウェア構成（例えば、貸出レートの指定ボタンなど）を改変することなく、景品管理装置側で景品交換用記録媒体の貸出レートを特定することが可能になるという効果が得られる。
【手続補正１２】
【補正対象書類名】明細書
【補正対象項目名】００１７
【補正方法】変更
【補正の内容】
【００１７】
また、本発明によれば、決定された交換貸出レートを所定の表示部に対して表示させるように制御することとしたので、２番目以降に景品交換用記録媒体を受け付けたとしても交換貸出レートの景品交換用記録媒体だけを交換制御の対象とする旨を従業員及び遊技客の双方に明示することができ、景品交換業務を円滑に行わせることが可能になるという効果が得られる。また、本発明によれば、交換取引に属する景品交換用記録媒体のうち、特定された貸出レートが交換貸出レートと一致しない景品交換用記録媒体をこの交換取引から除外する旨およびこの景品交換用記録媒体の貸出レートを、所定の表示部に対してさらに表示させるように制御することとしたので、交換貸出レート以外の貸出レートの景品交換用記録媒体の処遇を明示するとともに、交換制御を除外する理由が交換貸出レートと異なる点にあることを従業員及び遊技客の双方に明示することができ、景品交換業務をより円滑に実行させることが可能になるという効果が得られる。